(57)【要約】【課題】フレキシブルプリント基板を容易に保持枠に装着可能なレンズ鏡筒を、提供する。【解決手段】レンズ鏡筒２は、フレキシブルプリント基板６１，６２と、移動ユニット３８，３９，１３２と、直進固定枠１０とを、備えている。移動ユニット３８，３９，１３２は、フレキシブルプリント基板６１，６２を保持する。直進固定枠１０は、移動ユニット３８，３９，１３２が光軸方向へ移動可能なように構成され、移動ユニット３８，３９，１３２を収納する。このようなレンズ鏡筒２では、直進固定枠１０は、フレキシブルプリント基板６１，６２を案内する案内溝１１０を、有している。移動ユニット３８，３９，１３２は、外周部に立設された凸部１３２ａを、有している。凸部１３２ａの少なくとも一部は、案内溝１１０に配置される。【選択図】図７
2014038312.tif 000002
【特許請求の範囲】
【請求項１】
フレキシブルプリント基板と、
前記フレキシブルプリント基板を保持する移動ユニットと、
前記移動ユニットが光軸方向へ移動可能に構成され、前記移動ユニットを収納する保持枠と、
を備え、
前記保持枠は、前記フレキシブルプリント基板を案内する案内溝を、有し、
前記移動ユニットは、外周部に立設された凸部を、有し、
前記凸部の少なくとも一部は、前記案内溝に配置される、
レンズ鏡筒。
【請求項２】
制御基板をさらに備え、
前記凸部は、前記フレキシブルプリント基板に対して、前記光軸方向の一方側に配置され、
前記移動ユニットは、前記光軸方向の一方側から前記光軸方向の他方側へ挿入されることにより、前記保持枠に収納され、
前記制御基板は、前記光軸方向の他方側に配置され、
前記フレキシブルプリント基板は、前記制御基板に接続される、
請求項１に記載のレンズ鏡筒。
【請求項３】
前記案内溝において前記フレキシブルプリント基板の案内を補助するための補助板が、前記フレキシブルプリント基板に装着されている、
請求項１に記載のレンズ鏡筒。
【請求項４】
前記フレキシブルプリント基板は、前記移動ユニットに装着される基端部と、前記基端部から延び前記基端部より幅広である幅広部と、前記幅広部から延びる末端部とを、有し、
前記案内溝は、互いに対向する一対の壁部と底部とを有し、
前記一対の壁部のそれぞれには、突出部が形成されており、
前記幅広部は、前記底部と、一対の前記突出部との間に配置され、
前記基端部の幅は、一対の前記突出部の間隔より小さい、
請求項３に記載のレンズ鏡筒。
【請求項５】
前記凸部の少なくとも一部の幅は、一対の前記突出部の間隔より小さい、
請求項４に記載のレンズ鏡筒。
【請求項６】
前記フレキシブルプリント基板は、前記移動ユニットに装着される基端部と、前記基端部から延び前記基端部より幅広である幅広部と、前記幅広部から延びる末端部とを、有し、
前記幅広部は、前記案内溝に配置され、
前記案内溝には、前記光軸方向の一方側から前記光軸方向の他方側への前記幅広部の移動を規制する規制部が、形成されており、
前記末端部側の前記幅広部が、前記規制部に当接する、
請求項３に記載のレンズ鏡筒。
【請求項７】
前記基端部は、曲がった状態で、前記案内溝と前記移動ユニットとの間に配置される、
請求項４に記載のレンズ鏡筒。
【請求項８】
前記凸部の少なくとも一部は、第１先端部と、前記第１先端部に立設された第２先端部とを、有し、
前記底部には、前記第２先端部が配置される凹部が、形成されている、
請求項１に記載のレンズ鏡筒。
【発明の詳細な説明】
【技術分野】
【０００１】
本開示は、レンズ鏡筒に関する。
【背景技術】
【０００２】
特許文献１は、レンズ鏡筒のフレキシブルプリント基板の装着構造を開示している。このフレキシブルプリント基板の装着構造では、フレキシブルプリント基板が、固定鏡筒の内周面に形成された基板収納凹部に、収納されている。この状態で、フレキシブルプリント基板が、固定鏡筒（基板収納凹部）と移動鏡筒との間に配置される遮光リング８１によって、押圧されている。
【先行技術文献】
【特許文献】
【０００３】
【特許文献１】特開平7-191251号公報
【発明の概要】
【発明が解決しようとする課題】
【０００４】
本開示は、フレキシブルプリント基板を容易に保持枠に装着することができるレンズ鏡筒を、提供する。
【課題を解決するための手段】
【０００５】
本開示におけるレンズ鏡筒は、フレキシブルプリント基板と、移動ユニットと、保持枠とを、備えている。移動ユニットは、フレキシブルプリント基板を保持する。保持枠は、移動ユニットが光軸方向へ移動可能に構成され、移動ユニットを収納する。このようなレンズ鏡筒では、保持枠は、フレキシブルプリント基板を案内する案内溝を、有している。移動ユニットは、外周部に立設された凸部を、有している。凸部の少なくとも一部は、案内溝に配置される。
【発明の効果】
【０００６】
本開示におけるレンズ鏡筒では、フレキシブルプリント基板を容易に保持枠に装着することができる。
【図面の簡単な説明】
【０００７】
【図１】本実施形態に係るデジタルカメラの外観斜視図。
【図２】本実施形態に係るレンズ鏡筒の外観斜視図。
【図３】本実施形態に係るレンズ鏡筒の分解斜視図。
【図４】本実施形態に係るレンズ鏡筒の断面図（ワイド状態）。
【図５】本実施形態に係るレンズ鏡筒の断面図（テレスコープ状態）。
【図６】本実施形態に係るレンズ枠組立体、直進固定枠が装着された第１レンズホルダ、及びカム枠の分解斜視図。
【図７】本実施形態に係るレンズ枠組立体を直進固定枠に装着した状態における正面図。
【図８】本実施形態に係るレンズ枠組立体の外観斜視図。
【図９】本実施形態に係る直進固定枠の案内溝の断面図。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面および以下の説明を提供するのであって、これらによって特許請求の範囲に記載の主題を限定することを意図するものではない。
【０００９】
（実施の形態１）
以下、図面を用いて、本実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１１】
［１−１．全体構成］
デジタルカメラ１は、レンズ交換式のデジタルカメラである。図１に示すように、デジタルカメラ１は、主に、カメラ本体３と、レンズ鏡筒２とを、備えている。カメラ本体３には、レンズ鏡筒２が着脱自在に装着される。詳細には、カメラ本体３のボディマウント４に、レンズ鏡筒２のレンズマウント５（図３を参照）を、機械的及び電気的に接続することによって、レンズ鏡筒２は、カメラ本体３に対して、着脱自在に装着される。
【００１２】
図２に示すように、レンズ鏡筒２は、レンズを保持する筒体である。図２には、レンズの光軸として、光軸ＡＸを表示している。光軸方向とは、光軸ＡＸに沿う方向であり、光軸ＡＸと平行な方向である。
図３〜図５に示すように、レンズ鏡筒２は、直進固定枠１０と、カム枠１５とを、有している。また、レンズ鏡筒２は、第１レンズ枠３０を保持する第１レンズホルダ２０と、第２レンズ枠３１と、レンズ枠組立体３５と、第６レンズ枠３６と、第７レンズ枠３７とを、さらに有している。また、レンズ鏡筒２は、ズームリング４０と、フォーカスリング４１と、リングマウントベース４５とを、さらに有している。さらに、レンズ鏡筒２は、レンズ制御用の基板５０を、さらに有している。
【００１３】
直進固定枠１０は、円筒状に形成されている。直進固定枠１０は、複数の枠体を支持する。複数の枠体は、直進固定枠１０に配置される。複数の枠体は、第６レンズ枠３６と、レンズ枠組立体３５と、第２レンズ枠３１とを、含んでいる。図３に示すように、第６レンズ枠３６と、レンズ枠組立体３５とは、光軸方向の前方側（光軸方向の一方側の一例）から光軸方向の後方側（光軸方向の他方側の一例）に向けて、直進固定枠１０に挿入される。これにより、第６レンズ枠３６とレンズ枠組立体３５とは、直進固定枠１０に対して、光軸方向に進退自在、且つ回転不能になる。そして、第２レンズ枠３１が、光軸方向の前方側において、直進固定枠１０に装着される。
【００１４】
図６に示すように、直進固定枠１０には、外周部から外方に突出する直進突起１０ａが、形成されている。詳細には、直進固定枠１０の前方外周部には、３つの直進突起１０ａが形成されている。３つの直進突起１０ａは、円周方向に間隔を隔てて配置される。
また、直進固定枠１０は、第６レンズ枠３６とレンズ枠組立体３５とが光軸方向へ移動可能なように、構成されている。直進固定枠１０には、径方向に貫通した直進貫通溝１０ｂが、形成されている。直進貫通溝１０ｂは、第６レンズ枠３６とレンズ枠組立体３５とを、光軸方向に案内する。また、直進固定枠１０の光軸方向の前端部には、第２レンズ枠３１が装着される（図３及び図４を参照）。
【００１５】
さらに、図４、図５、及び図７に示すように、直進固定枠１０は、案内溝１１０を有している。案内溝１１０は、直進固定枠１０の内周部に形成されている。案内溝１１０は、後述するフレキシブルプリント基板６１，６２（ＯＩＳ（Ｏｐｔｉｃａｌ  Ｉｍａｇｅ  Ｓｔａｂｉｌｉｚｅｒ）用のフレキシブルプリント基板６１、モータ用のフレキシブルプリント基板６２）を、案内する。詳細には、直進固定枠１０の内周部には、２つの案内溝１１０が形成されている。２つの案内溝１１０それぞれは、光軸方向の前方端から光軸方向の後方端に向けて延びている。また、２つの案内溝１１０それぞれは、円周方向に所定の間隔を隔てて配置されている。２つの案内溝１１０それぞれによって、ＯＩＳ用のフレキシブルプリント基板６１と、モータ用のフレキシブルプリント基板６２とが、案内される。なお、案内溝１１０の形状についての詳細は、後述する。
【００１６】
図４〜図６に示すように、カム枠１５は、円筒状に形成されている。カム枠１５の外周部には、第１カム溝１５ａ及び第２カム溝１５ｂが、形成されている。カム枠１５の第１カム溝１５ａには、第１レンズホルダ２０の第１カム突起（後述する）が、係合する。カム枠１５の第２カム溝１５ｂには、第１レンズホルダ２０の第２カム突起（後述する）が、配置される。第１カム突起を第１カム溝１５ａに係合することによって、カム枠１５の回転によって、第１レンズホルダ２０が進退自在に移動する。また、第２カム溝１５ｂは、補強溝である。ここでは、第２カム突起を第２カム溝１５ｂに配置しているので、落下等によりレンズ鏡筒２に外力が加わった場合に、第２カム突起が第２カム溝１５ｂに当接する。これにより、第１カム突起に加わる外力が、抑制される。なお、カム枠１５は、連結部材（図示しない）を介して、ズームリング４０と連結されている。すなわち、カム枠１５は、ズームリング４０と一体回転可能である。
【００１７】
第１レンズホルダ２０は、円筒状に形成されている。第１レンズホルダ２０の内周部には、カム枠１５の第１カム溝１５ａに係合する第１カム突起（図示しない）と、カム枠１５の第２カム溝１５ｂに係合する第２カム突起（図示しない）とが、形成されている。また、第１レンズホルダ２０の内周部には、直進固定枠１０の直進突起１０ａに係合する直進溝２０ｂが、形成されている（図５を参照）。第１レンズホルダ２０の直進溝２０ｂは、直進固定枠１０を光軸方向に案内する。また、第１レンズホルダ２０は、第１レンズ枠３０を保持している。第１レンズ枠３０は、第１レンズＬ１を保持する（図４及び図５を参照）。
【００１８】
図３〜図６に示すように、第２レンズ枠３１は、第２レンズＬ２を保持する。第２レンズ枠３１には、外周部から外方に突出する突出部３１ａが、形成されている。詳細には、第２レンズ枠３１の外周部には、３つの突出部３１ａが形成されている。３つの突出部３１ａそれぞれは、円周方向に間隔を隔てて配置される。３つの突出部３１ａそれぞれを、連結部材例えばビス（図示しない）を介して、直進固定枠１０の端部に装着することによって、第２レンズ枠３１が直進固定枠１０に装着される。
【００１９】
図３〜図６に示すように、レンズ枠組立体３５は、第３レンズ枠３２と、第４レンズ枠３３を保持するＯＩＳ絞りユニット３８と、第５レンズ枠３４と、モータユニット３９とを、有している。また、レンズ枠組立体３５は、フレキシブルプリント基板６１，６２を、有している。フレキシブルプリント基板は、ＯＩＳ用のフレキシブルプリント基板６１と、モータ用のフレキシブルプリント基板６２とを、含んでいる。ここでは、ＯＩＳ用のフレキシブルプリント基板６１と、モータ用のフレキシブルプリント基板６２とが、個別に配置されている。より具体的には、ＯＩＳ用のフレキシブルプリント基板６１と、モータ用のフレキシブルプリント基板６２とが、光軸ＡＸまわりの方向において、所定の間隔を隔てて配置されている。このように、ＯＩＳ用のフレキシブルプリント基板６１と、モータ用のフレキシブルプリント基板６２とを個別に配置した理由は、クロストークを避けるためである。
また、レンズ枠組立体３５は、光軸方向の前方側から光軸方向の後方側に向けて、直進固定枠１０に挿入され、直進固定枠１０に収納される。
【００２０】
図４及び図５に示すように、第３レンズ枠３２は、第３Ａレンズ枠１３２と、第３Ｂレンズ枠２３２とを、有している。第３Ａレンズ枠１３２は、第３ＡレンズＬ３１を保持する。
図６〜図８に示すように、第３Ａレンズ枠１３２は、外周部に立設された凸部１３２ａを、有している。詳細には、第３Ａレンズ枠１３２は、外周部に立設された２つの凸部１３２ａを、有している。２つの凸部１３２ａそれぞれは、円周方向に所定の間隔を隔てて配置されている。凸部１３２ａの少なくとも一部は、直進固定枠１０の案内溝１１０に、配置される。凸部１３２ａは、フレキシブルプリント基板６１，６２に対して、光軸方向の前方側に配置されている（図４及び図５を参照）。凸部１３２ａは、図７及び図８に示すように、第１先端部１３２ｂと、第１先端部１３２ｂに立設された第２先端部１３２ｃとを、有している。なお、第３Ａレンズ枠１３２には、３つのカムピン１３２ｋが装着される（図６を参照）。
【００２１】
図４及び図５に示すように、第３Ｂレンズ枠２３２は、第３ＢレンズＬ３２を保持する。第３Ｂレンズ枠２３２は、第３Ａレンズ枠１３２に装着される。
ＯＩＳ絞りユニット３８は、光学式の手ブレ補正機構と、絞り機構とを、有している。ＯＩＳ絞りユニット３８には、第４レンズ枠３３が、装着される。第４レンズ枠３３は、第４レンズＬ４を保持する。第４レンズＬ４は、ＯＩＳ用のレンズである。
【００２２】
第５レンズ枠３４は、第５レンズＬ５を保持する。第５レンズＬ５は、フォーカス用のレンズである。第５レンズ枠３４は、第３Ａレンズ枠１３２に装着される。
モータユニット３９は、第３Ａレンズ枠１３２に装着される。モータユニット３９には、モータ用のフレキシブルプリント基板６２が、装着されている。モータ用のフレキシブルプリント基板６２は、直進固定枠１０に設けられた２つの案内溝１１０の一方に、配置される。
【００２３】
図６に示すように、第６レンズ枠３６は、第６レンズＬ６を保持する。第６レンズＬ６は、ズーム用のレンズである。第６レンズ枠３６の外周部には、３つのカムピン３６ａが装着される。３つのカムピン３６ａそれぞれは、円周方向に間隔を隔てて配置されている。
図３〜図５に示すように、第７レンズ枠３７は、第７レンズＬ７を保持する。第７レンズ枠３７は、リングマウントベース４５の後端部に装着される。
【００２４】
図７及び図８に示すように、ＯＩＳ用のフレキシブルプリント基板６１は、ＯＩＳに関する機構を制御するためのものである。ＯＩＳ用のフレキシブルプリント基板６１は、ＯＩＳ絞りユニット３８に、装着される。また、ＯＩＳ用のフレキシブルプリント基板６１は、直進固定枠１０に設けられた２つの案内溝１１０の他方に、配置される（図４、図５、図７を参照）。
【００２５】
モータ用のフレキシブルプリント基板６２は、モータユニット３９に、装着される。モータ用のフレキシブルプリント基板６２は、モータを制御するためのものである。また、モータ用のフレキシブルプリント基板６２は、直進固定枠１０の案内溝１１０に配置される。
図３〜図５に示すように、レンズ制御用の基板５０は、各種レンズを制御するためのものである。レンズ制御用の基板５０は、リングマウントベース４５の後面に装着される。レンズ制御用の基板５０には、ＯＩＳ用のフレキシブルプリント基板６１と、モータ用のフレキシブルプリント基板６２とが、連結される。
【００２６】
図３〜図５に示すように、ズームリング４０は、ズーム機構を機能させるためのものである。ズームリング４０が回転すると、カム枠１５を介して、第６レンズＬ６を含む第６レンズ枠３６と、第３レンズ枠３２とが、前後に移動する。
フォーカスリング４１は、フォーカス機構を機能させるためのものである。フォーカスリング４１が回転すると、図示しないモータ等を駆動して、第５レンズＬ５を含む第５レンズ枠３４が、前後に移動する。
【００２７】
図４及び図５に示すように、リングマウントベース４５は、ズームリング４０及びフォーカスリング４１を保持するためのものである。リングマウントベース４５の外周部には、ズームリング４０及びフォーカスリング４１が、回転自在に装着される。
なお、直進固定枠１０は、保持枠の一例である。また、ＯＩＳ絞りユニット３８と、モータユニット３９が装着された第３Ａレンズ枠１３２とは、移動ユニットの一例である。
【００２８】
［１−２．フレキシブルプリント基板及び直進固定枠の案内溝の構成］
［１−２−１．フレキシブルプリント基板の構成］
ここでは、フレキシブルプリント基板（ＯＩＳ用のフレキシブルプリント基板６１、モータ用のフレキシブルプリント基板６２）の構成を、説明する。
図４〜図６及び図８に示すように、ＯＩＳ用のフレキシブルプリント基板６１は、基端部６１ａと、幅広部６１ｂと、末端部６１ｃとを、有している。基端部６１ａは、ＯＩＳ絞りユニット３８に装着される。基端部６１ａは、曲がった状態で、直進固定枠１０の案内溝１１０と、ＯＩＳ絞りユニット３８との間に、配置される。図４及び図５では、Ｓ１が、基端部６１ａの曲がった部分を、示す。幅広部６１ｂは、基端部６１ａから延びる部分であり、基端部６１ａより幅広に形成されている。幅広部６１ｂは、直進固定枠１０の案内溝１１０に配置される。末端部６１ｃは、幅広部６１ｂから延びる部分であり、レンズ制御用の基板５０に連結される。
【００２９】
図８に示すように、モータ用のフレキシブルプリント基板６２は、ＯＩＳ用のフレキシブルプリント基板６１の構成と、実質的に同じである。例えば、モータ用のフレキシブルプリント基板６２の基端部６２ａと幅広部６２ｂと末端部６２ｃとは、ＯＩＳ用のフレキシブルプリント基板６１の基端部６１ａと幅広部６１ｂと末端部６１ｃと、実質的に同じである。このため、この部分については、説明を省略する。言い換えると、モータ用のフレキシブルプリント基板６２の説明において説明が省略された部分は、ＯＩＳ用のフレキシブルプリント基板６１の構成に準じる。
【００３０】
図８に示すように、ＯＩＳ用のフレキシブルプリント基板６１と、モータ用のフレキシブルプリント基板６２とには、補助板６１ｄ，６２ｄが装着される。詳細には、補助板６１ｄは、幅広部６１ｂと実質的に同じ形状に形成されている。補助板６１ｄは、幅広部６１ｂに装着される。補助板６１ｄは、直進固定枠１０の案内溝１１０における各フレキシブルプリント基板６１の案内を、補助する。補助板６２ｄは、幅広部６２ｂと実質的に同じ形状に形成されている。補助板６２ｄは、幅広部６１ｂ，６２ｂに装着される。補助板６２ｄは、直進固定枠１０の案内溝１１０における各フレキシブルプリント基板６２の案内を、補助する。
【００３１】
［１−２−２．直進固定枠の案内溝の構成］
ここでは、直進固定枠１０の案内溝１１０の構成について説明する。
直進固定枠１０には、上述したように２つの案内溝１１０が、形成されている。２つの案内溝１１０の一方には、ＯＩＳ用のフレキシブルプリント基板６１が、配置される。２つの案内溝１１０の他方には、モータ用のフレキシブルプリント基板６２が、配置される。
【００３２】
２つの案内溝１１０に配置されるフレキシブルプリント基板６１，６２の種類は、異なるものの、２つの案内溝１１０構成は、実質的に同じである。このため、以下では、２つの案内溝１１０を、「案内溝」という１つの文言を用いて、その構成を説明する。
図７及び図９に示すように、案内溝１１０は、互いに対向する一対の壁部１１０ａと、底部１１０ｂとを、有している。また、一対の壁部１１０ａそれぞれには、突出部１１０ｃが形成されている。底部１１０ｂには、後述する凸部１３２ａの第２先端部１３２ｃが配置される凹部１１０ｄが、形成されている。
【００３３】
図８及び図９に示すように、一対の突出部１１０ｃの間隔Ｗ１が、フレキシブルプリント基板６１，６２の基端部６１ａ，６２ａの幅Ｋ１より大きくなるように、突出部１１０ｃは壁部１１０ａに形成されている。また、一対の突出部１１０ｃの間隔Ｗ１が、フレキシブルプリント基板６１，６２の末端部６１ｃ，６２ｃの幅Ｋ３より小さくなるように、突出部１１０ｃは壁部１１０ａに形成されている。また、一対の突出部１１０ｃの間隔Ｗ１が、凸部１３２ａの幅Ｔより大きくなるように、一対の突出部１１０ｃは壁部１１０ａに形成されている。ここでは、凸部１３２ａの幅Ｔは、第１先端部１３２ｂの幅に対応している。
また、壁部１１０ａと後述する規制部１１０ｅとの間隔Ｗ２が、フレキシブルプリント基板６１，６２の末端部６１ｃ，６２ｃの幅Ｋ３より大きくなるように、壁部１１０ａ及び規制部１１０ｅは形成されている。また、壁部１１０ａと後述する規制部１１０ｅとの間隔Ｗ２が、幅広部６１ｂ，６２ｂの幅Ｋ２より小さくなるように、壁部１１０ａ及び規制部１１０ｅは形成されている。さらに、一対の壁部１１０ａの間隔Ｗ３が、幅広部６１ｂ，６２ｂの幅Ｋ２より大きくなるように、一対の壁部１１０ａは形成されている。
ここで説明した間隔Ｗ１，Ｗ２，Ｗ３及び幅Ｋ１，Ｋ２，Ｋ３の関係をまとめると、「Ｋ１＜Ｗ１＜Ｋ３＜Ｗ２＜Ｋ２＜Ｗ３」の関係が成立している。
【００３４】
底部１１０ｂと一対の突出部１１０ｃとの間には、フレキシブルプリント基板６１，６２の幅広部６１ｂが、配置される。案内溝１１０には、規制部１１０ｅが形成されている。詳細には、規制部１１０ｅは、光軸方向に延びる案内溝１１０の後端側において、壁部１１０ａから突出して形成されている。規制部１１０ｅは、光軸方向の前方側（光軸方向の一方側の一例）から光軸方向の後方側（光軸方向の他方側の一例）への幅広部６１ｂの移動を、規制する。規制部１１０ｅには、末端部６１ｃ側の幅広部６１ｂが当接する。図８では、末端部６１ｃ側の幅広部６１ｂを、符号６１ｅで示している。
【００３５】
［２．組み立て方法］
［２−１．レンズ鏡筒の組み立て方法］
ここでは、レンズ鏡筒の組み立て方法を、説明する。
まず、第６レンズ枠３６が、光軸方向前方から、直進固定枠１０の内周側に挿入される。ここでは、第６レンズ枠３６の外周部に設けられたカムピン３６ａが、直進固定枠１０の直進貫通溝１０ｂに挿通される。
【００３６】
続いて、レンズ枠組立体３５が、光軸方向前方から、直進固定枠１０の内周側に挿入される。ここでは、レンズ枠組立体３５（第３Ａレンズ枠１３２を含む）の外周部に設けられたカムピン１３２ｋが、直進固定枠１０の直進貫通溝１０ｂに挿通される。続いて、第２レンズ枠３１が、光軸方向前方から、直進固定枠１０の前端部に装着される。ここでは、第２レンズ枠３１の突出部３１ａが、連結部材例えばビス（図示しない）を介して、直進固定枠１０の前端部に配置される。このようにして、第６レンズ枠３６と、レンズ枠組立体３５と、第２レンズ枠３１とが、直進固定枠１０に装着される。
【００３７】
次に、この直進固定枠１０が、光軸方向後方から、第１レンズホルダ２０の内周側に挿入される。ここでは、直進固定枠１０の直進突起１０ａが、第１レンズホルダ２０の内周部の直進溝２０ｂに係合される。また、第１レンズホルダ２０の内周部の第１カム突起（図示しない）が、カム枠１５の外周部の第１カム溝１５ａに係合される。また、第１レンズホルダ２０の内周部の第２カム突起（図示しない）が、カム枠１５の外周部の第２カム溝１５ｂに係合される。
【００３８】
続いて、この第１レンズホルダ２０は、リングマウントベース４５の内周側に挿入される。また、このリングマウントベース４５の外周部には、フォーカスリング４１及びズームリング４０が、回転自在に装着される。また、このリングマウントベース４５の後端部には、第７レンズ枠３７が装着される。さらに、このリングマウントベース４５の後端部には、レンズ制御用の基板５０が装着される。
【００３９】
このようにして、レンズ鏡筒が組み立てられる。なお、ここでは、主に、レンズ鏡筒を構成する枠体を、基本要素と考え、レンズ鏡筒の組み立て方法が示されている。このため、レンズ鏡筒を構成するその他の部材についての説明は、省略している。
［２−２．フレキシブルプリント基板の組み付け方法］
ここでは、フレキシブルプリント基板６１，６２の組み付け方法を、説明する。
【００４０】
上述した［２−１．レンズ鏡筒の組み立て方法］において、レンズ枠組立体３５が、光軸方向の前方側から光軸方向の後方側に向けて、直進固定枠１０に挿入されるときに、フレキシブルプリント基板（ＯＩＳ用のフレキシブルプリント基板６１、モータ用のフレキシブルプリント基板６２）が、直進固定枠１０の案内溝１１０に案内される。
具体的には、まず、フレキシブルプリント基板６１，６２の末端部６１ｃが、直進固定枠１０における光軸方向の前方側から、直進固定枠１０の案内溝１１０に挿入される。続いて、補助板６１ｄ，６２ｄが装着された幅広部６１ｂ，６２ｂが、直進固定枠１０の案内溝１１０に挿入される。
【００４１】
次に、レンズ枠組立体３５の本体部分（フレキシブルプリント基板６１，６２を除いた部分）が、直進固定枠１０における光軸方向の前方側に、配置される。具体的には、第３Ａレンズ枠１３２に形成された凸部１３２ａが、案内溝１１０に配置される。より具体的には、第３Ａレンズ枠１３２に形成された凸部１３２ａの第１先端部１３２ｂが、案内溝１１０における一対の突出部１１０ｃの間を通過させられ、案内溝１１０の底部１１０ｂに対向して配置される。そして、第３Ａレンズ枠１３２に形成された凸部１３２ａの第２先端部１３２ｃが、案内溝１１０の底部１１０ｂに形成された凹部１１０ｄに配置される。この状態では、凸部１３２ａは、フレキシブルプリント基板６１，６２に対して、光軸方向の前方側に配置されている。
【００４２】
続いて、レンズ枠組立体３５の本体部分は、直進固定枠１０における光軸方向の前方側から、直進固定枠１０の内部に挿入される。すると、第３Ａレンズ枠１３２の凸部１３２ａが、フレキシブルプリント基板６１，６２に当接する。具体的には、凸部１３２ａの第１先端部１３２ｂ又は第２先端部１３２ｃが、フレキシブルプリント基板６１，６２の幅広部６１ｂ、すなわち、補助板６１ｄ，６２ｄが装着された幅広部６１ｂに、当接する。このように、第３Ａレンズ枠１３２の凸部１３２ａがフレキシブルプリント基板６１，６２に当接することによって、フレキシブルプリント基板６１，６２が、案内溝１１０に押し込まれる。詳細には、案内溝１１０とレンズ枠組立体３５の本体部分との間においてフレキシブルプリント基板６１，６２の基端部６１ａ，６２ａが湾曲した状態で、フレキシブルプリント基板６１，６２の幅広部６１ｂ，６２ｂ及び末端部６１ｃ，６１ｃが、案内溝１１０に案内される。
【００４３】
続いて、レンズ枠組立体３５の本体部分が、直進固定枠１０の内部にさらに挿入されると、フレキシブルプリント基板６１，６２の末端部６１ｃ，６２ｃが、直進固定枠１０の後端部から突出する。そして、フレキシブルプリント基板６１，６２の幅広部６１ｂ，６２ｂ（図８の６１ｅの部分）が、案内溝１１０の規制部１１０ｅに当接する。このようにして、フレキシブルプリント基板６１，６２が、直進固定枠１０に対して位置決めされる。また、フレキシブルプリント基板６１，６２の末端部６１ｃ，６２ｃを、リングマウントベース４５に固定することによって、フレキシブルプリント基板６１，６２は、リングマウントベース４５に対して位置決めされる（図示しない）。
【００４４】
ここでは、第２先端部１３２ｃが凹部１１０ｄに配置され、第１先端部１３２ｂがフレキシブルプリント基板６１，６２の光軸方向前方側に配置されている。このため、案内溝１１０に配置されたフレキシブルプリント基板６１，６２が、第１先端部１３２ｂを乗り越えて光軸方向に飛び出そうとしても、第２先端部１３２ｃによって、この飛び出しは規制される。
【００４５】
［３．まとめ］
フレキシブルプリント基板は自由に変形可能であるので、従来のレンズ鏡筒では、フレキシブルプリント基板を、前方から後方へ通過させることは、困難である。
以上の本実施の形態は、このような問題を解決するためになされたものである。すなわち、本実施の形態におけるレンズ鏡筒２では、フレキシブルプリント基板６１，６２を容易に直進固定枠１０に装着することができる。
【００４６】
（１）本実施の形態では、ＯＩＳ絞りユニット３８と、モータユニット３９が装着された第３Ａレンズ枠１３２（移動ユニットの一例）とが、光軸方向に移動可能なように、直進固定枠１０（保持枠の一例）が構成されている。また、ＯＩＳ絞りユニット３８及び第３Ａレンズ枠１３２は、フレキシブルプリント基板６１，６２を保持している。このため、ＯＩＳ絞りユニット３８及び第３Ａレンズ枠１３２が光軸方向に移動した場合、フレキシブルプリント基板６１，６２も同様に光軸方向に移動する。また、ＯＩＳ絞りユニット３８及び第３Ａレンズ枠１３２が光軸方向に移動した場合、第３Ａレンズ枠１３２の凸部１３２ａが、直進固定枠１０の案内溝１１０に沿って光軸方向に移動する。これにより、フレキシブルプリント基板６１，６２が、第３Ａレンズ枠１３２の凸部１３２ａによって案内溝１１０において案内される。
このように、本技術では、第３Ａレンズ枠１３２の凸部１３２ａによって、フレキシブルプリント基板６１，６２を案内溝１１０に沿って容易に案内することができる。
【００４７】
（２）従来のレンズ鏡筒では、直進固定枠１０の本体にフランジ部を一体に形成する構成において、第１レンズホルダをできるだけ前方まで移動させようとするには、直進固定枠１０のフランジ部を、前方端に形成する必要がある。この場合、直進固定枠の前方端に、フランジ部が形成されるので、カム枠は、直進固定枠の後方から組み付けることになる。カム枠を直進固定枠の後方から組み付けた場合、直進固定枠の後方端外周部には、直進固定枠の後端部の強度を確保するための補強部材や補強部（ex. フランジ等）を、設けることができず、直進固定枠の後方端外周部を繋ぐことができない。
【００４８】
一方で、直進固定枠は、レンズ鏡筒を構成する主要部材であるので、直進固定枠の強度を確保することは重要である。このため、直進固定枠の強度、例えば直進固定枠の後端部の強度を確保するためには、直進固定枠の後端内周側に、フランジ等のような補強部材や補強部を、設けておくことが有効である。
この構成を採用する場合、例えば、フレキシブルプリント基板等は、直進固定枠の後端部のレンズ制御用のプリント基板等に接続されるため、前方から挿入し、直進固定枠の後端部の補強部材や補強部を避けて、後方へ通過させることになる。
しかしながら、フレキシブルプリント基板は自由に変形可能であるので、ここに示したように、フレキシブルプリント基板を、直進固定枠の後端部の補強部材や補強部を避けて、前方から後方へ通過させることは、困難である。
【００４９】
本実施の形態では、ＯＩＳ絞りユニット３８及び第３Ａレンズ枠１３２が、光軸方向の前方側から光軸方向の後方側へ挿入されると、第３Ａレンズ枠１３２の凸部１３２ａが、直進固定枠１０の案内溝１１０に沿って、光軸方向の前方側から光軸方向の後方側へと移動する。すると、フレキシブルプリント基板６１，６２は、凸部１３２ａによって、光軸方向の前方側から光軸方向の後方側へと、移動させられる。そして、このフレキシブルプリント基板６１，６２が、光軸方向の後方側に配置されたレンズ制御用の基板５０に、接続される。
【００５０】
このように、本技術では、フレキシブルプリント基板６１，６２を、第３Ａレンズ枠１３２の凸部１３２ａによって、光軸方向の前方側から光軸方向の後方側へと容易に案内することができる。これにより、フレキシブルプリント基板６１，６２を、光軸方向の他方側に配置されたレンズ制御用の基板５０に、容易に接続することができる。
また、第３Ａレンズ枠１３２の凸部１３２ａは、フレキシブルプリント基板６１，６２の前方側（光軸方向の前方側）に配置されている。これにより、例えば、使用者がレンズ鏡筒２の前方側からレンズ鏡筒２の内部を覗いたとしても、この凸部１３２ａによって、フレキシブルプリント基板６１，６２を目隠しすることができる。すなわち、特別な部品を容易することなく、フレキシブルプリント基板６１，６２を目隠しすることができる。このように、本技術では、部品点数を低減することができる。
（３）本実施の形態では、補助板６１ｄ，６２ｄがフレキシブルプリント基板６１，６２に装着されているので、フレキシブルプリント基板６１，６２を、より確実に案内溝１１０に沿って案内することができる。
【００５１】
（４）本実施の形態では、フレキシブルプリント基板６１，６２は、基端部６１ａと、幅広部６１ｂと、末端部６１ｃとを、有している。この場合、幅広部６１ｂが、案内溝１１０の底部１１０ｂと一対の突出部１１０ｃとの間に、配置されているので、フレキシブルプリント基板６１，６２を案内溝１１０の内部に確実に配置することができる。また、基端部６１ａの幅は一対の突出部１１０ｃの間隔より小さくなっているので、基端部６１ａを一対の突出部１１０ｃの間において自由に移動させることができる。すなわち、ＯＩＳ絞りユニット３８及び第３Ａレンズ枠１３２を、光軸方向に容易に移動させることができる。
【００５２】
（５）本実施の形態では、第３Ａレンズ枠１３２の凸部１３２ａの幅が、一対の突出部１１０ｃの間隔より小さくなっているので、凸部１３２ａを案内溝１１０に沿って容易に移動させることができる。すなわち、第３Ａレンズ枠１３２の凸部１３２ａによって、フレキシブルプリント基板６１，６２を案内溝１１０に沿って容易に案内することができる。
【００５３】
（６）本実施の形態では、フレキシブルプリント基板６１，６２における末端部６１ｃ側の幅広部６１ｂを、規制部１１０ｅに当接させることによって、フレキシブルプリント基板６１，６２を確実に位置決めすることができる。
（７）本実施の形態では、幅広部６１ｂより幅が狭い基端部６１ａを、曲がった状態で、案内溝１１０と、ＯＩＳ絞りユニット３８及び第３Ａレンズ枠１３２との間に配置しているので、ＯＩＳ絞りユニット３８及び第３Ａレンズ枠１３２を、光軸方向に容易に移動させることができる。
【００５４】
（８）本実施の形態では、第３Ａレンズ枠１３２の凸部１３２ａは、第１先端部１３２ｂと、第１先端部１３２ｂに立設された第２先端部１３２ｃとを、有している。また、第２先端部１３２ｃは、案内溝１１０の底部１１０ｂに形成された凹部１１０ｄに、配置される。このように、第２先端部１３２ｃを案内溝１１０の凹部１１０ｄに配置することによって、案内溝１１０に配置されたフレキシブルプリント基板６１，６２が、凸部１３２ａを乗り越えて光軸方向に飛び出すことを規制することができる。
【００５５】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００５６】
（Ａ）上記実施の形態１では、直進固定枠１０の案内溝１１０に一対の突出部１１０ｃが形成される場合の例を示したが、案内溝１１０の構成は、上記実施の形態１に限定されず、どのようにしてもよい。例えば、案内溝１１０が、底部１１０ｂと一対の壁部１１０ａとから構成されるようにしてもよい。
ＯＩＳ用のフレキシブルプリント基板６１の基端部６１ａが、曲がった状態で、案内溝１１０とＯＩＳ絞りユニット３８との間に配置されているので、フレキシブルプリント基板の幅広部６１ｂ及び末端部６１ｃは、基端部６１ａによって、ＯＩＳ絞りユニット３８から案内溝１１０の底部１１０ｂに向かう方向に、付勢される。同様に、モータ用のフレキシブルプリント基板６２の基端部６１ａが、曲がった状態で、案内溝１１０と第３Ａレンズ枠１３２との間に配置されているので、フレキシブルプリント基板６１，６２の幅広部６１ｂ及び末端部６１ｃは、基端部６１ａによって、第３Ａレンズ枠１３２から案内溝１１０の底部１１０ｂに向かう方向に、付勢される。
【００５７】
このように、この場合、案内溝１１０には一対の突出部１１０ｃが形成されてはいないものの、各フレキシブルプリント基板６１，６２を、案内溝１１０に確実に配置することができる。また、上述した効果と同様の効果も得ることができる。
（Ｂ）上記実施の形態１では、凸部１３２ａの第２先端部１３２ｃが、案内溝１１０の凹部１１０ｄに配置される場合の例を示したが、凸部の第１先端部１３２ｂが、案内溝１１０の底部１１０ｂに対向するように配置されていれば、第２先端部１３２ｃ及び凹部１１０ｄは、必ずしも用意する必要はない。
【００５８】
（その他）
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施の形態は、本開示における技術を例示するためのものであるから、特許請求の範囲またはその均等の範囲において種々の変更、置き換え、付加、省略などを行うことができる。
【産業上の利用可能性】
【００６０】
本開示は、フレキシブルプリント基板を装着することができるレンズ鏡筒に、適用可能である。
【符号の説明】
【００６１】
２  レンズ鏡筒
１０  直進固定枠
３２  第３レンズ枠
３８  ＯＩＳ絞りユニット（移動ユニットの一例）
３９  モータユニット（移動ユニットの一例）
６１  ＯＩＳ用のフレキシブルプリント基板
６２  モータ用のフレキシブルプリント基板
６１ａ，６２ａ  基端部
６１ｂ，６２ｂ  幅広部
６１ｃ，６２ｃ  末端部
６１ｄ，６２ｄ  補助板
１１０  案内溝
１１０ａ  案内溝の壁部
１１０ｂ  案内溝の底部
１１０ｃ  案内溝の突出部
１１０ｄ  案内溝の凹部
１１０ｅ  規制部
１３２  第３Ａレンズ枠（移動ユニットの一例）
１３２ａ  凸部
１３２ｂ  第１先端部
１３２ｃ  第２先端部
【図１】
2014038312.tif 000003
【図２】
2014038312.tif 000004
【図３】
2014038312.tif 000005
【図４】
2014038312.tif 000006
【図５】
2014038312.tif 000007
【図６】
2014038312.tif 000008
【図７】
2014038312.tif 000009
【図８】
2014038312.tif 000010
【図９】
2014038312.tif 000011